【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
物質を解析する方法であって、前記方法は、
注目物質のサンプルと関連付けられたホログラフィック強度パターンを少なくとも含むホログラフィック強度データを受信することを含み、前記ホログラフィック強度データは、データ取込手段によって取込まれ、さらに、
受信したホログラフィック強度データを処理して、サンプル中の少なくとも１つの注目オブジェクトを検出するステップおよび識別するステップの一方または両方を少なくとも行うことを含む、方法。
【請求項２】
受信したホログラフィック強度データを処理するステップは、
受信したホログラフィック強度データから１つ以上のデータキーポイントを判定するステップを少なくとも含み、前記ホログラフィック強度データは、前記データ取込手段と関連付けられた照射が伝搬して前記ホログラフィック強度データの取込を容易にする三次元空間を含む伝搬空間における別個の場所と関連付けられ、さらに、
判定されたデータキーポイントを、オブジェクトと関連付けられた少なくとも１つの所定のオブジェクトディスクリプタと比較してマッチングを判定することによって、サンプル中の少なくとも１つの注目オブジェクトを検出するステップおよび識別するステップの一方または両方を容易にするステップを少なくとも含み、前記オブジェクトディスクリプタは、伝搬空間不変量である、請求項１に記載の方法。
【請求項３】
前記方法は、複数のオブジェクトディスクリプタを供給することを含み、各オブジェクトディスクリプタは、前記伝搬空間における複数の所望の別個の場所とそれぞれ関連付けられた複数のディスクリプタサブセットを含み、各ディスクリプタサブセットは、１つ以上のディスクリプタキーポイントを含む、請求項２に記載の方法。
【請求項４】
前記方法は、前記オブジェクトディスクリプタを判定する事前のステップを含み、前記ステップは、各オブジェクトについて、
オブジェクトの画像を受信することと、
前記伝搬空間全体に亘る複数の別個の場所について、受信した画像に波形伝搬アルゴリズムを適用することによって、前記伝搬空間全体に亘る別個の場所に対応する複数のホログラフィック強度パターンを生成することと、
前記伝搬空間全体に亘って生成されたホログラフィック強度パターンごとにディスクリプタキーポイントを判定することと、
判定されたディスクリプタキーポイントおよび前記伝搬空間全体に亘って関連付けられた別個の場所を示す情報を使用して、オブジェクトと関連付けられた前記オブジェクトディスクリプタを生成することとを含む、請求項２または３に記載の方法。
【請求項５】
前記方法は、前記データ取込手段から配線によって、または各々がデータ取込手段を含む複数の地理的に分散された解析ステーションから無線によって、ホログラフィック強度データを受信することを含む、先行する請求項のうちいずれか１項に記載の方法。
【請求項６】
前記方法は、前記データ取込手段を制御して、サンプルと関連付けられたホログラフィック強度パターンを少なくとも含むホログラフィックデータを生成することを含む、先行する請求項のうちいずれか１項に記載の方法。
【請求項７】
前記方法は、
検出動作および識別動作の一方または両方と関連付けられた出力データを生成することと、
配線または無線データ手段によって前記出力データをユーザインターフェイスモジュー
ルに送信することによって、少なくとも出力させることとを含む、先行する請求項のうちいずれか１項に記載の方法。
【請求項８】
前記方法は、
同様の注目オブジェクトの和を判定することによって、検出されたまたは識別された注目オブジェクトを分類することと、
受信したホログラフィック強度データを復元することによって、サンプルの画像を生成することと、
判定された和および生成されたサンプルの画像の一方または両方を含む出力データを生成することと、
配線または無線データ手段によって前記出力データをユーザインターフェイスモジュールに送信することによって出力させることとを含む、請求項７に記載の方法。
【請求項９】
物質解析システムであって、
データを格納するメモリ装置と、
データ取込手段とデータ通信し、データ取込手段によって取込まれた注目物質のサンプルと関連付けられたホログラフィック強度パターンを少なくとも含むホログラフィック強度データを受信するように構成されたデータレシーバモジュールと、
受信したホログラフィック強度データを処理して、サンプル中の少なくとも１つの注目オブジェクトを検出する動作および識別する動作の一方または両方を少なくとも行うように構成された画像プロセッサとを備える、物質解析システム。
【請求項１０】
前記画像プロセッサは、
受信したホログラフィック強度データから１つ以上のデータキーポイントを判定するように構成されたキーポイント抽出モジュールを含み、前記ホログラフィック強度データは、前記データ取込手段と関連付けられた照射が伝搬して前記ホログラフィック強度データの取込を容易にする空間を含む伝搬空間における別個の場所と関連付けられ、さらに、
判定されたデータキーポイントを、前記メモリ装置に格納された、オブジェクトと関連付けられた少なくとも１つの所定のオブジェクトディスクリプタと比較してマッチングを判定することによって、前記サンプル中の少なくとも１つの注目オブジェクトを検出するステップおよび識別するステップの一方または両方を容易にするように構成されたオブジェクト分類装置を備え、前記オブジェクトディスクリプタは、伝搬空間不変量である、請求項９に記載の物質解析システム。
【請求項１１】
前記メモリ装置は、複数のオブジェクトディスクリプタを格納し、各オブジェクトディスクリプタは、伝搬空間における複数の所望の別個の場所とそれぞれ関連付けられた複数のディスクリプタサブセットを含み、各ディスクリプタサブセットは、１つ以上のディスクリプタキーポイントを含む、請求項１０に記載の物質解析システム。
【請求項１２】
前記物質解析システムは、前記オブジェクトディスクリプタを判定するように構成されたトレーニングモジュールを備え、前記トレーニングモジュールは、各オブジェクトについて、
オブジェクトの画像を受信し、
前記伝搬空間全体に亘る複数の別個の場所について、受信した画像に波形伝搬アルゴリズムを適用することによって、前記伝搬空間全体に亘る別個の場所に対応する複数のホログラフィック強度パターンを生成し、
前記伝搬空間全体に亘って生成されたホログラフィック強度パターンごとにディスクリプタキーポイントを判定し、
判定されたディスクリプタキーポイントおよび伝搬空間全体に亘って関連付けられた別個の場所を示す情報を使用して、オブジェクトと関連付けられた前記オブジェクトディス
クリプタを生成するように構成される、請求項１０または１１に記載の物質解析システム。
【請求項１３】
前記データレシーバモジュールは、前記データ取込手段と配線によってデータ通信するか、または各々がデータ取込手段を含む複数の地理的に分散された解析ステーションと無線データ通信する、請求項９〜１２のうちいずれか１項に記載の物質解析システム。
【請求項１４】
前記システムは、前記データ取込手段または各々がデータ取込手段を含む複数の地理的に分散された解析ステーションを備え、各データ取込手段は、デジタルホログラフィック顕微鏡設備を含み、前記デジタルホログラフィック顕微鏡設備は、照射を生成するように構成された照射源と、使用の際、それに入射する生成された照射に応答してホログラフィック強度データを生成するように構成された画像センサとを少なくとも含み、前記伝搬空間は、前記照射源と前記画像センサとの間の三次元空間の少なくとも一部を含む、請求項１０〜１３のうちいずれか１項に記載の物質解析システム。
【請求項１５】
前記デジタルホログラフィック顕微鏡設備はさらに、
前記照射源から所定の距離に配置された空間フィルタを備え、前記空間フィルタは、前記照射源からそこを通る照射の通過のために少なくとも１つの照射開口を含み、さらに、
前記空間フィルタから所定の距離に取外し可能に配置可能なサンプルホルダを備え、前記サンプルホルダは、注目物質のサンプルを保持するように構成され、前記画像センサは、使用の際、前記照射源からの照射が前記照射源から前記照射開口を通り、前記注目物質のサンプルを保持する前記サンプルホルダを通り、前記画像センサ上に伝搬するように前記サンプルホルダから離間され、前記画像センサは、それに対する照射入射に応答して、前記注目物質のサンプルのホログラフィック強度データを生成し、前記伝搬空間は、前記照射源からの照射、または前記照射開口およびサンプルホルダの一方または両方からの照射が伝搬して前記画像センサに到達することによって、前記ホログラフィック強度データを形成する三次元空間を含む、請求項１４に記載の物質解析システム。
【請求項１６】
前記システムは、ユーザ入力および出力を受信し、前記画像プロセッサモジュールによる検出の動作および識別の動作の一方または両方と関連付けられた生成された出力データを少なくとも前記メモリ装置に格納するように構成されたユーザインターフェイスモジュールを備える、請求項９〜１５のうちいずれか１項に記載の物質解析システム。
【請求項１７】
前記システムは、人間のユーザと関連付けられたバイオマテリアルのサンプルを解析するためのバイオマテリアル解析システムであり、前記システムはしたがって、前記システムの少なくとも一人のユーザについてユーザプロファイルを前記メモリ装置に生成するように構成されたユーザインタラクションモジュールを備え、前記ユーザプロファイルは、特定のユーザと関連付けられた生成された出力データを格納する、請求項１６に記載の物質解析システム。
【請求項１８】
物質解析装置であって、
使用の際、注目物質のサンプルを担持するサンプルホルダを取外し可能に収容するように構成されたハウジングと、
前記注目物質のサンプルのホログラフィック強度パターンを取込むためにハウジングに配置されたデータ取込手段と、
データを格納するメモリ装置と、
前記取込まれたホログラフィック強度データを処理して、サンプル中の少なくとも１つの注目オブジェクトを検出する動作および識別する動作の一方または両方を少なくとも行うことによって、前記動作と関連付けられた出力データを生成するように構成された画像プロセッサと、
ユーザ入力を受信して、前記画像プロセッサによって生成された出力データを少なくとも含む情報を出力するように構成されたユーザインターフェイスとを備える、物質解析装置。
【請求項１９】
物質解析装置であって、前記画像プロセッサは、
受信したホログラフィック強度データから１つ以上のデータキーポイントを判定するように構成されたキーポイント抽出モジュールを含み、前記ホログラフィック強度データは、データ取込手段と関連付けられた照射が伝搬して前記ホログラフィック強度データの取込を容易にする空間を含む伝搬空間における別個の場所と関連付けられ、さらに、
判定されたデータキーポイントを、前記メモリ装置に格納された、オブジェクトと関連付けられた少なくとも１つの所定のオブジェクトディスクリプタと比較してマッチングを判定することによって、サンプル中の少なくとも１つの注目オブジェクトを検出するステップおよび識別するステップの一方または両方を容易にするように構成されたオブジェクト分類装置を含み、前記オブジェクトディスクリプタは伝搬空間不変量であり、前記伝搬空間における複数の所望の別個の場所にそれぞれ関連付けられた複数のディスクリプタサブセットを含み、各ディスクリプタサブセットは、１つ以上のディスクリプタキーポイントを含む、物質解析装置。
【請求項２０】
前記データ取込手段は、デジタルホログラフィック顕微鏡設備を含み、前記デジタルホログラフィック顕微鏡設備は、
照射を生成するように構成された照射源と、
前記照射源から所定の距離に配置された空間フィルタとを含み、前記空間フィルタは、前記照射源からの照射がそこを通って通過するための少なくとも１つの照射開口を含み、前記サンプルホルダは、前記空間フィルタから所定の距離に取外し可能に配置可能であり、さらに、
前記サンプルホルダから離間された画像センサを含み、前記画像センサは、使用の際、そこに入射する生成された照射に応答して前記サンプルホルダ中の注目物質のデジタルホログラフィック強度パターンを少なくとも生成するように構成され、前記伝搬空間は、前記照射源からの照射、または前記照射開口および前記サンプルホルダの一方または両方からの伝搬が前記画像センサに到達することによって前記ホログラフィック強度データを形成する空間を含む、請求項１８または１９に記載の物質解析装置。
【請求項２１】
前記装置は、前記装置に対して無線でデータを送受信するように構成された通信モジュールを備える、請求項１８〜２０のうちいずれか１項に記載の物質解析装置。
【請求項２２】
前記システムは、人間のユーザと関連付けられたバイオマテリアルのサンプルを解析するためのバイオマテリアル解析装置であり、前記物質解析装置はしたがって、当該装置の少なくとも一人のユーザについてユーザプロファイルを前記メモリ装置に生成するように構成されたユーザインタラクションモジュールを備え、前記ユーザプロファイルは、前記装置の特定のユーザと関連付けられた生成された出力データを格納する、請求項１８〜２１のうちいずれか１項に記載の物質解析装置。
【請求項２３】
一組の命令を含み、コンピューティング装置によって実行されると、以下のステップを含む方法を前記コンピューティング装置に行わせる非一時的なコンピュータ読取可能な記憶媒体であって、以下のステップとは、
注目物質のサンプルと関連付けられたホログラフィック強度パターンを少なくとも含み、データ取込手段によって取込まれたホログラフィック強度データを受信するステップと、
受信したホログラフィック強度データを処理して、サンプル中の少なくとも１つの注目オブジェクトを検出するステップおよび識別するステップの一方または両方を少なくとも
行うステップとである、記憶媒体。